(57)【要約】      （修正有）【課題】ＦＡＸ通信網を用いて受信したＦＡＸデータと定型フォームをＦＡＸ受信後に自動的に画像合成するシステムを提供する。【解決手段】画像合成システムは、ＦＡＸを受信する印刷デバイスが受信したＦＡＸデータを一旦退避しておき、その後自動で定型フォーム管理システムとの間でＦＡＸ通信を行い、最初に受信したＦＡＸデータの送信先の電話番号などに基づいて定型フォームを取り出し、退避してあったＦＡＸデータと印刷デバイス上で合成して印刷する。【選択図】図１
2008042585.tif 000002
【特許請求の範囲】
【請求項１】
ＦＡＸ送信部と
ＦＡＸ送受信可能な定型フォーム管理部と
ＦＡＸ送受信可能な印刷デバイスとを有し
前記印刷デバイスは、受信したＦＡＸデータを記録保存する記録保存部と前記定型フォーム管理部から定型フォームを受信する定型フォーム取得部と前記受信したＦＡＸデータと前記定型フォームの画像データを合成する画像合成部とを有する
ことを特徴とする画像合成システム。
【請求項２】
請求項１の画像合成システムであって、
前記定型フォーム取得部は、ポーリング受信により前記定型フォームを取得する
ことを特徴とする画像合成システム。
【請求項３】
請求項１または２の画像合成システムであって、
前記定型フォーム取得部は、前記受信したＦＡＸデータに含まれている定型フォーム要求データに基づいて前記定型フォーム管理部から所定の定型フォームを受信する
ことを特徴とする画像合成システム。
【請求項４】
請求項３の画像合成システムであって、
前記受信したＦＡＸデータに含まれている定型フォーム要求データが前記受信したＦＡＸを送信したＦＡＸ送信デバイスの電話番号である
ことを特徴とする画像合成システム。
【請求項５】
請求項３の画像合成システムであって、
前記受信したＦＡＸデータに含まれている定型フォーム要求データが前記受信したＦＡＸデータの画像データ中に含まれているバーコードか２次元バーコードか文字データである
ことを特徴とする画像合成システム。
【発明の詳細な説明】
【技術分野】
【０００１】
ＦＡＸ通信網を使ってＦＡＸデータと定型フォームの画像合成を可能とする画像合成システムに関する。
【背景技術】
【０００２】
従来、画像データを合成する手段として、ＬＡＮ（Local  Area  Network）などのネットワーク環境でつながれたＰＣを用いて画像データを合成するシステムがあった。
【０００３】
例えば、Ｗｅｂブラウザで作成した帳票などの画像データをサーバにおいてある帳票テンプレートと画像合成して印刷する方法があった（特許文献１参照）。
【０００４】
また、通信ネットワーク上の複数のユーザが共同して一つの画像を製作できるように、クライアントで作成した画像データを定期的にサーバに集めて合成するシステムがあった（特許文献２参照）。
【０００５】
しかし、ＦＡＸ通信網を用いて受信したＦＡＸデータと定型フォームをＦＡＸ受信後に自動的に画像合成するシステムは実現されていなかった。
【０００６】
【特許文献１】特開２０００−２８４９３７号公報
【特許文献２】特開平０４−３０４５６７号公報
【発明の開示】
【発明が解決しようとする課題】
【０００７】
解決しようとする問題点は、ＦＡＸ受信した画像データを自動的に合成する手段として、ＬＡＮなどのネットワーク環境を利用せずとも、ＦＡＸによる通信手段のみで遠隔地にある定型フォームを自動的に取得して画像形成を行うことが出来なかった点である。
【課題を解決するための手段】
【０００８】
本発明の画像合成システムは、ＦＡＸ送信部とＦＡＸ送受信可能な定型フォーム管理部とＦＡＸ送受信可能な印刷デバイスとを有し前記印刷デバイスは、受信したＦＡＸデータを記録保存する記録保存部と前記定型フォーム管理部から定型フォームを受信する定型フォーム取得部と前記受信したＦＡＸデータと前記定型フォームの画像データを合成する画像合成部とを有することを最も主要な特徴とする。
【発明の効果】
【０００９】
本発明の画像合成システムは、ＦＡＸ送信部とＦＡＸ送受信可能な定型フォーム管理部とＦＡＸ送受信可能な印刷デバイスとを有し前記印刷デバイスは、受信したＦＡＸデータを記録保存する記録保存部と前記定型フォーム管理部から定型フォームを受信する定型フォーム取得部と前記受信したＦＡＸデータと前記定型フォームの画像データを合成する画像合成部とを有することを最も主要な特徴とするため、ＬＡＮなどのネットワーク環境を使わずともＦＡＸ通信網を利用して、ＦＡＸ受信した画像データを定型フォームと合成して出力することが可能となった。
【発明を実施するための最良の形態】
【００１０】
ＦＡＸ受信した画像データを自動的に合成する手段として、ＬＡＮなどのネットワーク環境を利用せずとも、ＦＡＸによる通信手段のみで遠隔地にある定型フォームを自動的に取得して画像形成を行うことが出来ないという問題点を印刷デバイスが受信したＦＡＸデータを一旦退避した後、印刷デバイスから定型フォームシステムにアクセスして定型フォームを受信して画像合成して出力する方法により実現した。
【実施例１】
【００１１】
［構成］
図１は、本発明の実施例に係わる画像合成システムのブロック構成図である。
【００１２】
図１に示すように、画像合成システムは、単数または複数の印刷デバイス（例えば印刷デバイスＡ３１、印刷デバイスＢ３３）、単数または複数の定型フォーム管理システム４１（定型フォーム管理部）、単数または複数のＦＡＸ送信デバイス（例えばＦＡＸ送信デバイスＡ６１、ＦＡＸ送信デバイスＢ６３）からなり、それらがＦＡＸ通信網５１を通して接続されている。
【００１３】
印刷デバイス（例えば、印刷デバイスＡ３１）は、ＦＡＸ送受信が可能である。
【００１４】
印刷デバイスは、次の各機能部、画像データ記録部１０１、定型フォーム取得部１０３、画像解析部１０５、画像合成部１０７、印刷部１０９を有する。
【００１５】
画像データ記録部１０１（記録保存部）は、ＦＡＸ送信デバイスから送信されたＦＡＸデータを退避領域に格納する。
【００１６】
定型フォーム取得部１０３は、定型フォーム管理システム４１にアクセスしてポーリング受信により定型フォームを取り出す。
【００１７】
画像解析部１０５は、ＦＡＸデータに定型フォーム要求データがバーコードや二次元バーコードや文字で埋め込まれている場合にその画像データを解析して、要求されている定型フォーム番号を取り出す。
【００１８】
画像合成部１０７は、ＦＡＸ送信デバイスから受信した画像データと定型フォーム管理システムから受信した定型フォームを合成する。
【００１９】
印刷部１０９は、上記画像合成部１０７で合成された画像データを印刷する。
【００２０】
ＦＡＸ送信デバイス（例えば、ＦＡＸ送信デバイスＡ６１）は、ＦＡＸの送信が可能である。
【００２１】
定型フォーム管理システム４１（定型フォーム管理部）は、ＦＡＸ送受信が可能であるサーバ装置であり、ＦＡＸ回線を通して印刷デバイス３１からのポーリング受信要求に対し、印刷デバイスが指定した定型フォームを送信する。
【００２２】
ＦＡＸ通信網５１は、通常のＦＡＸ送受信プロトコル通信を行うことのできる回線網で公衆回線であっても良いし、専用の回線網であっても良い。
【００２３】
印刷デバイス３１が定型フォーム管理システム４１にアクセスして定型フォームをポーリング受信する際の定型フォームの指定方法については、いくつかの方法がある。
【００２４】
まずそのひとつとして、ＦＡＸ送信デバイスが印刷デバイスに対してＦＡＸ送信を行った際のＦＡＸ送信デバイスの電話番号を定型フォーム要求データとして印刷デバイスが印刷データと共に記録しておき、その後定型フォーム管理システムにポーリング受信を行った際に、上記のＦＡＸ送信デバイスの電話番号をＤＴＭＦ（Dual-Tone  Multi-Frequency）信号で送信し、あらかじめその電話番号に関連付けて設定されている定型フォームを取り出す方法がある。
【００２５】
また、ＦＡＸ送信デバイスがＦＡＸ送信する際に、送信画像データの一部に例えば、バーコードや二次元バーコードや文字で定型フォーム要求データを埋め込んでおき、その画像データを受信した印刷デバイスが上記のバーコードや二次元バーコードや文字で埋め込まれている定型フォーム番号を解析して、上記方法と同様に定型フォーム管理システムにポーリング受信を行った際に同番号をＤＴＭＦ信号で送信して定型フォームを取り出す方法がある。
【００２６】
［フローチャート］
図２のフローチャートを用いて画像合成システムの動作の流れについて説明する。定型フォームを取り出す方法については、上記のＦＡＸ送信デバイスの電話番号を利用して取り出す方法を用いて説明する。
【００２７】
Ｓ１１：印刷デバイスは、ＦＡＸをＦＡＸ送信デバイスから受信する。
【００２８】
Ｓ１３：印刷デバイスは、受信したＦＡＸデータをデータ退避領域へ格納すると共に、ＦＡＸ送信デバイスの電話番号を記録しておく。
【００２９】
Ｓ１５：印刷デバイスは、定型フォーム管理システムへポーリング受信を開始する。ポーリングして定型フォームを取り出すための定型フォーム要求データとしてＳ１３で記録したＦＡＸ送信デバイスの電話番号をＤＴＭＦ信号で送信する。
【００３０】
Ｓ１７：印刷デバイスは、送信された電話番号に該当する定型フォームがあるかどうかを判断する。あればＳ１９へ、無ければＳ２３に動作を移行する。
【００３１】
Ｓ１９：定型フォームが見つかった場合は、定型フォーム管理システムにポーリング受信を行って、定型フォーム管理システムが該当した定型フォームを印刷デバイスへＦＡＸ送信する。
【００３２】
Ｓ２１：印刷デバイスがＳ１３で格納したＦＡＸ画像データと定型フォームを画像合成する。
【００３３】
Ｓ２３：印刷デバイスがＳ１７からのフローの経路によってＳ１３で格納したＦＡＸ受信データないしはＳ２１にて定型フォームと画像合成した画像データを印刷する。
【００３４】
以上の一連の動作により、画像合成システムの動作を終了する。
【００３５】
［実施例の利用例］
本実施例の画像合成システムを用いて、例えば不動産の紹介所が顧客の希望を聞いて、希望に該当する物件を同業者からＦＡＸ送信してもらう際に、あらかじめ前記同業者からのＦＡＸデータに書き込まれている同業社名・住所・電話番号部分を白抜きとして見えなくするような定型フォームを作成して、定型フォーム管理システムに前記の白抜き定型フォームと同業者のＦＡＸ電話番号を関連付けて登録しておくことにより、同業者からのＦＡＸデータが届いた際には、上記の同業社名・住所・電話番号が印刷されないために、直接該当物件のＦＡＸデータを顧客に見せても顧客が同業者に直接コンタクトしてしまうことを防ぐことができる。
【００３６】
また、例えば顧客の管理システムなどにおいて、顧客からのクレームをＦＡＸで受信すると、あらかじめ顧客ＦＡＸ番号に関連付けされた顧客データが載っている定型フォームを登録しておくと、顧客のＦＡＸデータと共に顧客の関連データが印刷されるので、より素早く顧客への対応ができることとなる。
【００３７】
［実施例の効果］
本発明の実施例により、ＦＡＸ通信網を利用してＦＡＸ受信後に自動で定型フォーム管理システムとの間でＦＡＸ通信を行い、最初に受信したＦＡＸデータに含まれる定型フォーム要求データに基づき定型フォームを取り出し、退避してあったＦＡＸデータと印刷デバイス上で合成して印刷することが可能となった。
【００３８】
最初に受信したＦＡＸの電話番号を定型フォーム要求データとして利用することにより、送信先ごとに定められた定型フォームとの合成が可能となった。
【００３９】
また、同じ送信先からでも送信データごとに異なる定型フォームとの合成が必要な場合には、ＦＡＸ画像データ中にバーコードや二次元バーコードや文字などで定型フォーム要求データを埋め込む方法により実現可能となった。
【００４０】
［その他］
印刷デバイスに最初にＦＡＸデータを送信する装置をＦＡＸ送信デバイスとしたが、通常のＦＡＸ送受信機能を持つＦＡＸ装置であっても良い。
【００４１】
上記フローチャートについての説明では、ＦＡＸ送信デバイスの電話番号を利用して定型フォームを指定したが、ＦＡＸ送信デバイスの送信画像データの一部に定型フォームのフォーム番号をバーコードや２次元バーコードや文字などで埋め込んで、受信した印刷デバイスが画像データを解析して取り出すことによって定型フォームを指定しても良い。
【図面の簡単な説明】
【００４２】
【図１】画像合成システムの構成図である（実施例１）。
【図２】画像合成システムの動作のフローチャートである（実施例１）。
【符号の説明】
【００４３】
３１  印刷デバイスＡ（印刷デバイス；記録保存部、定型フォーム取得部、画像合成部）
３３  印刷デバイスＢ（印刷デバイス；記録保存部、定型フォーム取得部、画像合成部）
４１  定型フォーム管理システム（定型フォーム管理部）
５１  ＦＡＸ通信網
６１  ＦＡＸ送信デバイスＡ（ＦＡＸ送信部）
６３  ＦＡＸ送信デバイスＢ（ＦＡＸ送信部）
１０１  画像データ記録部（記録保存部）
１０３  定型フォーム取得部
１０５  画像解析部
１０７  画像合成部
１０９  印刷部
【図１】
2008042585.tif 000003
【図２】
2008042585.tif 000004